(57)【要約】【課題】赤色光を含むより広い波長領域の光を効率良く透過でき、昼行性害虫の防除効果の高いＬＥＤ照明カバー用光拡散体、ＬＥＤ照明カバー及びＬＥＤ照明装置を提供する。【解決手段】  ＬＥＤ照明カバー用光拡散体は、基材樹脂と、光拡散剤とを含む。ＬＥＤ照明カバー用光拡散体は、白色ＬＥＤを測定用光源として使用して、透過光の分光放射輝度を測定したとき、３６０〜７８０ｎｍの波長領域の分光放射照度の全体積算値に対して、５５０〜７５０ｎｍの波長領域の分光放射照度の積算値の割合が８０％以上であり、５５０〜６００ｎｍの波長領域の分光放射照度の積算値の割合が１５％以上であり、６５０〜７００ｎｍの波長領域の分光放射照度の積算値の割合が１０％以上となるものである。【選択図】  図１
2019179207.tif 000002
【特許請求の範囲】
【請求項１】
ＬＥＤ照明装置の光源を覆うＬＥＤ照明カバー用光拡散体であって、
基材樹脂と、光拡散剤とを含み、
４４０〜４６０ｎｍの波長領域に分光放射照度の第１のピークを有し、５４５〜５７５ｎｍの波長領域に分光放射照度の第２のピークを有する白色ＬＥＤを測定用光源として使用して、前記ＬＥＤ照明カバー用光拡散体の透過光の分光放射照度を測定したとき、
３６０〜７８０ｎｍの波長領域の分光放射照度の全体積算値に対して、
５５０〜７５０ｎｍの波長領域の分光放射照度の積算値の割合が８０％以上であり、
５５０〜６００ｎｍの波長領域の分光放射照度の積算値の割合が１５％以上であり、
６５０〜７００ｎｍの波長領域の分光放射照度の積算値の割合が１０％以上である
ＬＥＤ照明カバー用光拡散体。
【請求項２】
請求項１に記載のＬＥＤ照明カバー用光拡散体であって、
４００〜５００ｎｍの波長領域の分光放射照度の積算値の割合が１５％以下である
ＬＥＤ照明カバー用光拡散体。
【請求項３】
請求項１又は２に記載のＬＥＤ照明カバー用光拡散体であって、
４００〜６００ｎｍの波長領域の光を少なくとも一部吸収する色素を含む
ＬＥＤ照明カバー用光拡散体。
【請求項４】
請求項１乃至３の何れか一項に記載のＬＥＤ照明カバー用光拡散体であって、
前記色素は、４５０ｎｍの波長の吸収率が７０％以上であり、６５０ｎｍの波長の吸収率が２０％以内である
ＬＥＤ照明カバー用光拡散体。
【請求項５】
請求項１乃至４の何れか一項に記載のＬＥＤ照明カバー用光拡散体であって、
前記基材樹脂１００重量部に対して、
前記光拡散剤の量は０．５〜５重量部の範囲内であり、
前記色素の量は０．０１〜０．２重量部の範囲内である
ＬＥＤ照明カバー用光拡散体。
【請求項６】
請求項１乃至５の何れか一項に記載のＬＥＤ照明カバー用光拡散体であって、
前記基材樹脂が、ポリカーボネート系樹脂であり、
前記光拡散剤が、シリコーン系樹脂粒子を含む
ＬＥＤ照明カバー用光拡散体。
【請求項７】
請求項６に記載のＬＥＤ照明カバー用光拡散体であって、
前記光拡散剤が、（メタ）アクリル−スチレン共重合体粒子を含む
ＬＥＤ照明カバー用光拡散体。
【請求項８】
請求項１乃至７の何れか一項に記載のＬＥＤ照明カバー用光拡散体であって、害虫防除用のＬＥＤ照明装置のＬＥＤ照明カバーに用いられる
ＬＥＤ照明カバー用光拡散体。
【請求項９】
白色ＬＥＤの光源と、
請求項１乃至８の何れか一項に記載のＬＥＤ照明カバー用光拡散体とを備える
ＬＥＤ照明装置。
【請求項１０】
請求項１乃至８の何れか一項に記載のＬＥＤ照明カバー用光拡散体であって、
板状、円筒形状、部分円筒形状、又は電球形状である
ＬＥＤ照明カバー。
【請求項１１】
請求項１０に記載のＬＥＤ照明カバーと、
白色ＬＥＤの光源とを備える
ＬＥＤ照明装置。
【請求項１２】
請求項９又は１１に記載のＬＥＤ照明装置であって、
照射範囲における害虫の防除に用いられる
ＬＥＤ照明装置。
【発明の詳細な説明】
【技術分野】
【０００１】
本発明は、光による害虫防除に関し、特に、ＬＥＤ（発光ダイオード）照明カバー用光拡散体、ＬＥＤ照明カバー及びＬＥＤ照明装置に関する。
【背景技術】
【０００２】
従来、農作物に対する害虫の防除方法として、農薬（特許文献１、２参照）や防除ネット（特許文献３参照）が使用されてきた。しかし、農薬には抵抗性害虫の発生が課題となり、また、防除ネットの場合には効果が不十分であることが課題となっている。
【０００３】
そこで、防除方法に対するこのような課題を解消するために、光によって害虫を防除する方法が検討されている。例えば、特許文献４には、アザミウマ類（ミナミキイロアザミウマ、ミカンキイロザミウマ、ヒラズハナアザミウマ及びネギアザミウマ）に対して、赤色光で植物体への定着及び産卵を抑制する方法が記載されている。
【先行技術文献】
【特許文献】
【０００４】
【特許文献１】特開２００８−１３７９４０号公報
【特許文献２】特開２００９−２５６３１１号公報
【特許文献３】特開２０００−２３６７９７号公報
【特許文献４】特開２０１５−１７１３５６公報
【発明の概要】
【発明が解決しようとする課題】
【０００５】
昼行性害虫は、主に昼間に食物を求めたり、交配を行うために活動したり、夜間は活動をとめて休む農業害虫であり、前述のアザミウマ類の他、例えば、オンシツコナジラミなどのコナジラミ類、マメハモグリバエなどのハモグリバエ類などが例示される。光による昼行性害虫の防除方法が検討されてはいるものの、昼行性害虫の種類と防除効果の高い光の波長との関係は解明されていない点も多いため、農作物に照射する赤色光の波長領域は広いことが好ましい。昼行性害虫の防除用の光源として、赤色ＬＥＤチップを使用する場合、照射された光の波長領域は非常に狭いため、広い波長領域の光を照射するためには、異なる波長領域を有する複数のＬＥＤチップを用いなければならかった。
【０００６】
本発明は、係る実情に鑑みてなされたものであって、赤色光を含むより広い波長領域の光を効率良く透過でき、昼行性害虫の防除効果（忌避又は行動抑制効果）の高いＬＥＤ照明カバー用光拡散体、ＬＥＤ照明カバー及びＬＥＤ照明装置を提供する。
【課題を解決するための手段】
【０００７】
上記課題を解決するための本発明のＬＥＤ照明カバー用光拡散体は、ＬＥＤ照明装置の光源を覆うＬＥＤ照明カバー用光拡散体であって、基材樹脂と、光拡散剤とを含み、４４０〜４６０ｎｍの波長領域に分光放射照度の第１のピークを有し、５４５〜５７５ｎｍの波長領域に分光放射照度の第２のピークを有する白色ＬＥＤを測定用光源として使用して、ＬＥＤ照明カバー用光拡散体の透過光の分光放射照度を測定したとき、３６０〜７８０ｎｍの波長領域の分光放射照度の全体積算値に対して、５５０〜７５０ｎｍの波長領域の分光放射照度の積算値の割合が８０％以上であり、５５０〜６００ｎｍの波長領域の分光放射照度の積算値の割合が１５％以上であり、６５０〜７００ｎｍの波長領域の分光放射照度の積算値の割合が１０％以上であることを特徴としている。
【０００８】
更に、本発明のＬＥＤ照明カバー用光拡散体は、４００〜５００ｎｍの波長領域の分光放射照度の積算値の割合が１５％以下であることを特徴としている。
【０００９】
本発明のＬＥＤ照明カバー用光拡散体は、４００〜６００ｎｍの波長領域の光を少なくとも一部吸収する色素を更に含むことを特徴としている。
【００１０】
本発明のＬＥＤ照明カバー用光拡散体の色素は、４５０ｎｍの波長の吸収率が７０％以上であり、６５０ｎｍの波長の吸収率が２０％以内であることを特徴としている。
【００１１】
本発明のＬＥＤ照明カバー用光拡散体は、基材樹脂１００重量部に対して、光拡散剤の量は０．５〜５重量部の範囲内であり、色素の量は０．０１〜０．２重量部の範囲内であることを特徴としている。
【００１２】
本発明のＬＥＤ照明カバー用光拡散体は、基材樹脂がポリカーボネート系樹脂であり、光拡散剤がシリコーン系樹脂粒子を含むことを特徴としている。更に、本発明のＬＥＤ照明カバー用光拡散体は、光拡散剤が（メタ）アクリル−スチレン共重合体粒子をさらに含むことを特徴としている。
【００１３】
また、本発明のＬＥＤ照明カバー用光拡散体は、害虫防除用のＬＥＤ照明装置のＬＥＤ照明カバーに用いられることを特徴としている。
【００１４】
上記課題を解決するための本発明のＬＥＤ照明カバーは、前記ＬＥＤ照明カバー用光拡散体が板状、円筒形状、部分円筒形状、又は電球形状であることを特徴としている。
【００１５】
上記課題を解決するための本発明のＬＥＤ照明装置は、前記ＬＥＤ照明カバー用光拡散体又は前記ＬＥＤ照明カバーと、白色ＬＥＤの光源とを備えることを特徴としている。
【００１６】
更に、本発明のＬＥＤ照明装置は、照射範囲における害虫の防除に用いられることを特徴としている。
【発明の効果】
【００１７】
本発明によると、赤色光を含むより広い波長領域の光を効率良く透過でき、昼行性害虫の防除効果（忌避又は行動抑制効果）の高いＬＥＤ照明カバー用光拡散体、ＬＥＤ照明カバー及びＬＥＤ照明装置を提供することができる。
【図面の簡単な説明】
【００１８】
【図１】本発明に係るＬＥＤ照明カバー用光拡散体を使用したＬＥＤ照明装置の分光放射照度（実施例１）と、色素無添加光拡散体の分光放射照度（比較例１）と、測定用白色ＬＥＤ光源の分光放射照度とを示すグラフである。
【図２】ＬＥＤ照明カバー用光拡散体の透過光強度を、自動変角光度計を用いて測定した例である。
【図３】実施例における昼行性害虫（アザミウマ）の忌避又は行動抑制の実験装置を示す概略図である。
【発明を実施するための形態】
【００１９】
以下、本発明に係る実施の形態を、実施例および比較例により説明するが、本発明はこれに限定されるものではない。
【００２０】
［ＬＥＤ照明カバー用光拡散体］
本発明のＬＥＤ照明カバー用光拡散体は、基材樹脂と、光拡散剤と、４００〜６００ｎｍの波長領域の光を少なくとも一部吸収する色素とを含んで構成されている。
【００２１】
ＬＥＤ照明カバー用光拡散体は、４４０〜４６０ｎｍの波長領域に分光放射照度の第１のピークを有し、５４５〜５７５ｎｍの波長領域に分光放射照度の第２のピークを有する白色ＬＥＤを測定用光源として使用して、ＬＥＤ照明カバー用光拡散体の透過光の分光放射照度を測定したとき、３６０〜７８０ｎｍの波長領域の分光放射照度の全体積算値に対して、５５０〜７５０ｎｍの波長領域の分光放射照度の積算値の割合が８０％以上であり、５５０〜６００ｎｍの波長領域の分光放射照度の積算値の割合が１５％以上であり、６５０〜７００ｎｍの波長領域の分光放射照度の積算値の割合が１０％以上となるものである。
【００２２】
５５０〜７５０ｎｍの波長領域の分光放射照度の積算値の割合は、８５％以上がより好ましく、９０％以上が更に好ましい。また、５５０〜６００ｎｍの波長領域の分光放射照度の積算値の割合は、２０％以上であることがより好ましく、６５０〜７００ｎｍの波長領域の分光放射照度の積算値の割合は、１５％以上であることがより好ましい。
【００２３】
このような透過光には、緑〜オレンジ色光を示す５５０〜６１０ｎｍの波長領域と、赤色光を示す６１０〜７５０ｎｍの波長領域とが幅広く含まれている。従って、本発明のＬＥＤ照明カバー用光拡散体は、白色ＬＥＤ光源からの光のうちで、昼行性害虫の防除効果（忌避又は行動抑制効果）が高いとされる赤色光を含む光を、幅広く透過させることができる。特に、本発明のＬＥＤ照明カバー用光拡散体は、波長領域の異なる複数のＬＥＤ光源を用意する必要がないため、昼行性害虫の防除効果が高い光の生成が容易である。
【００２４】
５５０〜７５０ｎｍの波長領域の分光放射照度の積算値の割合が８０％未満の場合、十分な昼行性害虫の防除効果が期待できない。また、５５０〜６００ｎｍの波長領域の分光放射照度の積算値の割合が１５％未満の場合や、６５０〜７００ｎｍの波長領域の分光放射照度の積算値の割合が１０％未満の場合には、一部の波長に反応する昼行性害虫への限定的な効果となる。
【００２５】
また、ＬＥＤ照明カバー用光拡散体は、同様の測定用光源を使用して、透過光の分光放射照度を測定したとき、４００〜５００ｎｍの波長領域の分光放射照度の積算値の割合が１５％以下であることが好ましい。より好ましくは、４００〜５００ｎｍの波長領域の分光放射照度の積算値の割合は１０％以下であり、更に好ましくは５％以下である。この波長領域の光は、一般的に昆虫を誘引しやすいことが知られているため、２０％を超えると昼行性害虫の防除効果を低減させてしまうためである。
【００２６】
更に、ＬＥＤ照明カバー用光拡散体は、同様の測定用光源を使用して、透過光の分光放射照度を測定したとき、５００〜５５０ｎｍの波長領域の分光放射照度の積算値の割合が１０％以下であることが好ましく、５％以下であることがより好ましい。前述したように５００ｎｍの波長の光は昆虫を誘引しやすいため、近接した波長領域の光も少ないことが好ましい。
【００２７】
また、ＬＥＤ照明カバー用光拡散体は、その法線方向から光を当てたときに、光透過率が直進光透過率の５０％になる透過角として定義される分散度が５〜６０°である。より好ましくは、１０〜６０°であり、更に好ましくは１５〜６０°である。分散度が上記範囲であることで、光源の光を広範囲に照射でき、且つ、ＬＥＤチップの粒感を目立たなくさせる効果を奏する。
【００２８】
ＬＥＤ照明カバー用光拡散体は、本発明の効果を発現する条件であれば、その形状及び厚みに特に制限はないが、０．５〜３ｍｍの範囲内の厚みを有する板状であることが好ましい。ＬＥＤ照明装置の軽量化が望まれていることから、ＬＥＤ照明カバー用光拡散体の厚み（板厚）は０．７〜２ｍｍの範囲内であることがより好ましい。
【００２９】
また、ＬＥＤ照明カバー用光拡散体の大きさ及び形状は、特に制限されず、例えば、ＬＥＤ電球、直管型ＬＥＤ照明装置等のＬＥＤ照明装置の発光部（ＬＥＤ照明カバー以外の部分）の大きさ及び形状に合わせればよい。
【００３０】
ＬＥＤ照明カバー用光拡散体は、板状の他、直管型ＬＥＤ照明装置に使用される円筒形状又は部分円筒形状であってもよく、電球形状であってもよい。板状のＬＥＤ照明カバー用光拡散体とは、ＬＥＤ照明装置本体と共に構成する板状のＬＥＤ照明カバーである。円筒形状又は部分円筒形状のＬＥＤ照明カバー用光拡散体とは、円柱形状のＬＥＤ照明装置をＬＥＤ照明装置本体と共に構成する円筒形状のＬＥＤ照明カバー、円柱形状のＬＥＤ照明装置を半円筒形状のＬＥＤ照明装置本体と共に構成する半円筒形状のＬＥＤ照明カバーなどである。電球形状のＬＥＤ照明カバー用光拡散体とは、シェードと組み合わせて使用される半球形状のＬＥＤ照明カバー、裸電球として用いられる洋梨形状のＬＥＤ照明カバー、シャンデリア電球として用いられる蝋燭の炎の形に類似した形状のＬＥＤ照明カバー、又はこれらに類似の形状のＬＥＤ照明カバーである。
【００３１】
ＬＥＤ照明カバー用光拡散体は、１層構造であってもよいが、基材樹脂及び光拡散剤を含む第１の樹脂層と、基材樹脂及び色素を含む第２の樹脂層とを含む多層構造であってもよい。
【００３２】
［基材樹脂］
基材樹脂は、照明を実現できる程度の光透過性を有するものであれば特に限定されるものではないが、例えば、ポリカーボネート系樹脂；アセチルセルロース、ニトロセルロース、アセチルブチルセルロース、エチルセルロース、メチルセルロース等のセルロース誘導体；酢酸ビニルの単独重合体または共重合体、塩化ビニルの単独重合体または共重合体、塩化ビニリデンの単独重合体または共重合体；ポリビニルホルマール、ポリビニルブチラール等のアセタール系樹脂；アクリル樹脂（ポリアクリル酸エステル）およびその共重合樹脂、メタクリル樹脂（ポリメタクリル酸エステル）およびその共重合樹脂等の（メタ）アクリル系樹脂；ポリスチレン樹脂；ポリアミド樹脂；ポリエチレンテレフタレート樹脂（以下「ＰＥＴ樹脂」と略記する）等の線状ポリエステル樹脂等が挙げられる。これらの樹脂の中では、透明性、耐熱性、衝撃強度の観点から、ポリカーボネート系樹脂、（メタ）アクリル系樹脂、ＰＥＴ樹脂が好ましく、それらの中でも、耐熱性および耐衝撃性に優れるポリカーボネート系樹脂が特に好ましい。
【００３３】
ＬＥＤ照明カバー用光拡散体の成形方法は、特に限定されないが、Ｔダイ押出成形によるシート成形、異形押出成形による円筒形状または部分円筒形状への成形、射出成形やインジェクションブロー成形による電球形状への成形、シート状に成形した後で真空成形や圧空成形により円盤形状に成形する方法などが挙げられる。
【００３４】
［光拡散剤］
光拡散剤としては、透明粒子が好適である。透明粒子は、光透過性を有する粒子であればよい。透明粒子は、均一な屈折率を有する粒子（例えば、単一の材質からなる粒子や、同一の屈折率を有するコアおよびシェルからなるコア・シェル型粒子）であってもよいし、屈折率が異なる複数の部分から構成される粒子（例えば、異なる屈折率を有するコアおよびシェルからなるコア・シェル型粒子）であってもよい。
【００３５】
透明粒子の体積平均粒子径は、０．３〜１０μｍの範囲内であることが好ましく、０．５〜５μｍの範囲内であることがより好ましい。透明粒子の体積平均粒子径を０．３μｍ以上とすることで、ＬＥＤ照明カバー用光拡散体の光拡散性をより高めることができる。また、透明粒子の体積平均粒子径を１０μｍ以下にすることで、ＬＥＤ照明カバー用光拡散体の光透過性を良好にすることができる。
【００３６】
また、透明粒子の粒子径の変動係数は、３０％以下であることが好ましい。透明粒子の粒子径の変動係数が３０％を超えると、ＬＥＤ照明カバー用光拡散体に良好な光拡散性を発現させるための粒子径の範囲内に収まる透明粒子の数が少なくなり、良好な光拡散性のＬＥＤ照明カバー用光拡散体を得にくくなる。
【００３７】
光拡散剤の材質（透明粒子を構成する物質）としては、例えば、架橋（メタ）アクリル系樹脂、架橋スチレン系樹脂、ポリウレタン系樹脂、ポリエステル系樹脂、シリコーン系樹脂、フッ素系樹脂、これらの共重合体等の合成樹脂；シリカ、炭酸カルシウム、硫酸バリウム等の無機物等が挙げられる。これらの材質のうち、合成樹脂が好適であり、架橋（メタ）アクリル系樹脂、架橋スチレン系樹脂、およびこれらの共重合体（架橋（メタ）アクリル−スチレン共重合体）、並びにシリコーン系樹脂がさらに好適であり、シリコーン系樹脂が最も好適である。すなわち、光拡散剤は、シリコーン系樹脂粒子を含むことが好ましい。光拡散剤がシリコーン系樹脂粒子を含む場合、光拡散剤が（メタ）アクリル−スチレン共重合体粒子をさらに含むことが好ましい。これにより、特に基材樹脂がポリカーボネート系樹脂である場合に、基材樹脂との屈折率差が少ない（メタ）アクリル−スチレン共重合体粒子を光拡散剤として併用することで、適度な光拡散性をＬＥＤ照明カバー用光拡散体に付与してＬＥＤチップによる粒光感を消し、かつ、光拡散剤の添加によるＬＥＤ照明カバー用光拡散体の光透過率の低下を抑制できる。これら透明粒子は、１種のみを用いてもよく２種以上を組み合わせて用いてもよい。なお、本明細書において、「（メタ）アクリル」はメタクリルまたはアクリルを意味するものとする。また、「（メタ）アクリル−スチレン共重合体」とは、単官能（メタ）アクリル系単量体と単官能スチレン系単量体とを含む単量体混合物の重合体を意味するものとする。
【００３８】
光拡散剤が、架橋（メタ）アクリル系樹脂、架橋スチレン系樹脂、これらの共重合体等のような、架橋性単量体（２つ以上のエチレン性不飽和基を有する化合物）を含むビニル系単量体（少なくとも１つのエチレン性不飽和基を有する化合物）の重合体からなる場合、重合体は、架橋性単量体に由来する構造単位を、１〜５０重量％含むことが好ましく、５〜３０重量％含むことがより好ましい。上記の範囲である場合、光拡散剤中に高いレベルで３次元的な網目構造を構築することができ、その結果、光拡散性により優れたＬＥＤ照明カバー用光拡散体を実現できる。
【００３９】
架橋性単量体としては、例えば、メタクリル酸アリル、エチレングリコールジ（メタ）アクリレート、ジエチレングリコールジ（メタ）アクリレート、トリエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリスリトールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等の（メタ）アクリル酸エステル系多官能単量体；ジビニルベンゼン、ジビニルナフタレンおよびこれらの誘導体である芳香族ビニル系多官能単量体が挙げられる。これら架橋性単量体は２種以上を組み合わせて用いることもできる。なお、本明細書において、「（メタ）アクリレート」はメタクリレートまたはアクリレートを意味するものとする。
【００４０】
架橋（メタ）アクリル系樹脂は、単官能（メタ）アクリル系単量体を含んでいる。上記単官能（メタ）アクリル系単量体としては、１つのアクリロイルオキシ基またはメタクリロイルオキシ基を有する化合物であれば特に限定されるものではなく、例えば、アクリル酸、アクリル酸メチル、アクリル酸エチル、アクリル酸ｎ−ブチル、アクリル酸イソブチル、アクリル酸ドデシル、アクリル酸ステアリル、アクリル酸２−エチルヘキシル、アクリル酸テトラヒドロフルフリル、メタクリル酸、メタクリル酸メチル、メタクリル酸エチル、メタクリル酸ｎ−プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル等が挙げられる。これら単官能（メタ）アクリル系単量体は、１種を単独で用いてもよく、２種以上を混合して用いてもよい。
【００４１】
スチレン系樹脂は、単官能スチレン系単量体を含んでいる。上記単官能スチレン系単量体としては、１つのエチレン性不飽和基を有するスチレン類であれば特に限定されるものではなく、例えば、スチレン、ｏ−メチルスチレン、ｍ−メチルスチレン、ｐ−メチルスチレン、α−メチルスチレン等が挙げられる。これら単官能スチレン系単量体は、１種を単独で用いてもよく、２種以上を混合して用いてもよい。なお、架橋（メタ）アクリル系樹脂および架橋スチレン系樹脂の共重合体は、上記単官能（メタ）アクリル系単量体および上記単官能スチレン系単量体を含んでいる。
【００４２】
光拡散剤の屈折率は、基材樹脂の屈折率と異なっていればよいが、基材樹脂の屈折率との屈折率差が０．０１〜０．２の範囲内であることが好ましく、基材樹脂の屈折率との屈折率差が０．０２〜０．１の範囲内であることがより好ましい。
【００４３】
透明粒子の形状は、特に限定されるものではないが、球状であることが好ましい。
【００４４】
光拡散剤は、ＬＥＤ照明カバー用光拡散体全体にわたって均一に基材樹脂中に分散させてもよく、基材樹脂の入光面側および／または出光面側に光拡散剤の層として設けてもよい。
【００４５】
ＬＥＤ照明カバー用光拡散体における光拡散剤の含有量は、本発明の効果を発現する条件であれば特に限定されないが、基材樹脂１００重量部に対して０．５〜５．０重量部の範囲内であることが好ましい。光拡散剤の含有量を０．５重量部以上にすることで、ＬＥＤ照明カバー用光拡散体の光拡散性をより高めることができる。また、光拡散剤の含有量を５．０重量部以下にすることで、ＬＥＤ照明カバー用光拡散体の光透過性を良好にすることができる。
【００４６】
［色素］
色素は４００〜６００ｎｍの波長領域の光を少なくとも一部吸収する色素であればよい。特に、色素は、紫外可視吸収スペクトル（波長３００〜８００ｎｍの紫外可視吸収スペクトル）の最大吸収波長を４００〜６００ｎｍに有する赤色色素を含むことが好ましく、４５０〜５８０ｎｍが更に好ましく、４９０〜５７０ｎｍが特に好ましい。
【００４７】
また、色素は、４５０ｎｍの波長の吸収率が７０％以上であり、６５０ｎｍの波長の吸収率が２０％以内であることが好ましい。より好ましくは、４５０ｎｍの波長の吸収率は８０％以上であり、更に好ましくは８５％以上であり、特に好ましくは９０％以上である。また、６５０ｎｍの波長の吸収率は１０％以内であることがより好ましく、更に好ましくは５％以内であり、特に好ましくは２％以内である。これにより、４００〜６００ｎｍの波長領域の光をより効果的に低減することができる。色素としては、染料と顔料のどちらを用いてもよいが、ＬＥＤ照明カバー用光拡散体の光透過率を高くすることができるため、染料が好ましい。
【００４８】
色素の紫外可視吸収スペクトルは、以下の測定方法を用いて測定できる。色素が可溶な溶媒１００重量部に対して色素を０．０１重量部添加して、色素を溶媒に溶解させ、色素の溶液を得る。得られた色素の溶液について、分光光度計（商品名「日立分光光度計Ｕ−３９００」、株式会社日立ハイテクノロジーズ）にて波長３００〜８００ｎｍの紫外可視吸収スペクトルの測定を行う。なお、色素の溶液の測定を行う前に、色素の溶解に用いた溶媒について分光光度計にて波長３００〜８００ｎｍの紫外可視吸収スペクトルの測定を行うことによりベースラインを構築する。
【００４９】
色素としては、特に限定されず、Ｃ．Ｉ．ソルベントレッド、Ｃ．Ｉ．ディスパースレッド、Ｃ．Ｉ．ピグメントレッドなどを用いることができる。具体的には、ペリノン系、ナフトキノン系、アントラキノン系、チオインジゴ系染料が挙げられ、「ＫＰ  Ｐｌａｓｔ  Ｒｅｄ  ＨＧ」（商品名）（紀和化学工業株式会社製）、「ＫＰ  Ｐｌａｓｔ  Ｂｒｉｌｌｉａｎｔ  Ｐｉｎｋ  ＦＨＢ」（商品名）（紀和化学工業株式会社製）、「ＫＰ  Ｐｌａｓｔ  Ｒｅｄ  Ｂ」（商品名）（紀和化学工業株式会社製）、「ＫＰ  Ｐｌａｓｔ  Ｒｅｄ  ＨＢ」（商品名）（紀和化学工業株式会社製）、「ＦＳ  ＲＥＤ  １３３６」（商品名）（有本化学工業株式会社製）等が挙げられる。これら色素は、１種を用いてもよく２種以上を併用してもよい。
【００５０】
ＬＥＤ照明カバー用光拡散体における色素の含有量は、基材樹脂１００重量部に対して０．０１〜０．２重量部の範囲内であることが好ましい。色素の含有量が０．０１重量部未満であると、ＬＥＤ照明カバー用光拡散体による４００〜５００ｎｍ付近の光の低減効果が不十分となり、昼行性害虫の防除効果が不十分となる。色素の含有量が０．２重量部を超えると、ＬＥＤ照明カバー用光拡散体の着色の濃度が高くなりすぎて、ＬＥＤ照明カバー用光拡散体の光透過性を十分なレベルに維持できなくなる。
【００５１】
〔ＬＥＤ照明装置〕
本発明のＬＥＤ照明装置は、白色ＬＥＤ（白色ＬＥＤチップ）の光源と、本発明のＬＥＤ照明カバー用光拡散体とを備える。本発明のＬＥＤ照明装置は、前述した種々の形状のＬＥＤ照明カバー用光拡散体をＬＥＤ照明カバーとして備えたものであってもよい。このようなＬＥＤ照明装置は、白色ＬＥＤチップに基づいて、赤色光を含むより広い波長領域の光を容易に照射でき、昼行性害虫を防除（忌避又は行動抑制）する効果を奏する。尚、本発明のＬＥＤ照明装置は、所定の分光放射輝度を示す１種類の白色ＬＥＤ光源を備えることが好ましい。即ち、本発明のＬＥＤ照明装置は、１種類の白色ＬＥＤチップだけでも、赤色光を含むより広い波長領域の光を容易に照射できるため、低コストで昼行性害虫を防除することが可能である。
【００５２】
〔害虫防除用のＬＥＤ照明装置及びそのＬＥＤ照明カバーに用いられるＬＥＤ照明カバ
ー用光拡散体〕
本発明のＬＥＤ照明装置は、照射範囲における害虫の防除に用いられる。換言すると、本発明のＬＥＤ照明カバー用光拡散体は、害虫防除用のＬＥＤ照明装置のＬＥＤ照明カバーに用いられる。昼行性害虫の防除を行うため、前述のＬＥＤ照明カバー用光拡散体とそれを用いたＬＥＤ照明装置は、例えば、屋外の果樹園（例えば、リンゴ、カキ、ナシ、モモ、イチゴ、メロン、ブドウ等の果樹の果樹園）、花木畑（例えば、トルコギキョウ、バラ、カーネーション等の花木類の花木畑）、菜園（例えば、トマト、なす、ピーマン、キャベツ、レタス、ねぎ、おおば、さつまいも等の野菜の菜園）、茶畑、スイートコーン畑、芝生等で使用しても良いし、屋内の植物工場、保管倉庫等で使用しても良い。本発明のＬＥＤ照明カバー用光拡散体およびＬＥＤ照明装置を屋外の果樹園、花木畑、菜園等や屋内の植物工場で使用することで、害虫防除のための農薬散布の回数を低減でき、低農薬栽培が可能となる。
【実施例】
【００５３】
以下、実施例および比較例により本発明を説明するが、本発明はこれに限定されるものではない。
【００５４】
〔ＬＥＤ照明装置の分光放射照度の測定方法〕
ＬＥＤ照明装置の分光放射照度は、以下のようにして測定した。気温２５度に設定した暗室内にＬＥＤ照明装置を設置し、ＬＥＤ照明装置の電源を入れ、２０分間発光させた後、ＬＥＤ照明装置の発光部直下３０ｃｍの位置で、分光放射照度計（コニカミノルタ社製ＣＬ−５００Ａ）を用いて分光放射照度を測定した。
【００５５】
測定用光源としては、例えば、白色ＬＥＤを備える市販の４０Ｗ型直管型ＬＥＤ照明装置（株式会社エレバム製、型番「ＦＷＫ４０ＮＳＭＳＰ５−７２Ｖ」）の本体（カバーを除いた部分）を使用することができる。この例の測定用光源（ＬＥＤ照明装置の本体）の分光放射照度を、測定位置をＬＥＤ照明装置の発光部直下２ｍの位置に変えたこと以外は前述の測定方法と同様にして測定した結果を図１に実線で示す。なお、測定位置を発光部直下３０ｃｍの位置から発光部直下２．０ｍの位置に変えても、波長５５０ｎｍにおける分光放射照度を１としたときの波長４５０ｎｍにおける分光放射照度の相対値、および波長５５０ｎｍにおける分光放射照度を１としたときの波長４５０ｎｍにおける相対値は実質的に変化しない。
【００５６】
測定用光源としては、波長５５０ｎｍにおける分光放射照度を１としたときの波長４５０ｎｍにおける分光放射照度の相対値が１．３０〜１．５５の範囲内であり、波長５５０ｎｍにおける分光放射照度を１としたときの波長６５０ｎｍにおける分光放射照度の相対値が０．３０〜０．５５の範囲内である白色ＬＥＤを使用することが好ましい。
【００５７】
なお、図１では、色素を含まないＬＥＤ照明カバー用光拡散体（図１中では「色素無添加光拡散体」と表記する）を、白色ＬＥＤを覆うように配置してなるＬＥＤ照明装置（比較例１のＬＥＤ照明装置）の分光放射照度を測定した結果を破線で示している。図１から分かるように、分光放射照度スペクトルの波形は、ＬＥＤ照明カバー用光拡散体の有無によって実質的に変化しない。
【００５８】
〔分光放射照度の積算値の算出〕
前述の方法で測定した分光放射照度（図１参照）に基づいて、所定の波長領域内（波長区間）における分光放射照度を積算して積算値（Ｗ／ｍ2）とする。尚、本明細書では、３６０〜７８０ｎｍの波長領域の分光放射照度の積算値を全体積算値ａとする。所定の波長領域の分光放射照度の積算値ｘの割合ｚは、以下の式により算出した。
ｚ＝１００×（ｘ／ａ）
【００５９】
〔ＬＥＤ照明カバー用光拡散体の全光線透過率の測定方法〕
ＬＥＤ照明カバー用光拡散体の全光線透過率は、ヘイズメーター（日本電色工業株式会社製、商品名「ＮＤＨ４０００」）を使用して、ＪＩＳ  Ｋ  ７３６１−１に従って測定する。また、２個の測定サンプル（２ｍｍ厚のＬＥＤ照明カバー用光拡散体）についてそれぞれ測定を実施し、得られた２つの測定値の平均値を最終的な測定値とする。
【００６０】
〔ＬＥＤ照明カバー用光拡散体の分散度（Ｄ５０）の測定方法〕
ＬＥＤ照明カバー用光拡散体表面に対してその法線方向から光を当てたときに、光透過率が直進光透過率の５０％になる透過角として定義されるＬＥＤ照明カバー用光拡散体の分散度（Ｄ５０）は、自動変角光度計（株式会社村上色彩技術研究所製「ゴニオフォトメータＧＰ−２００」）を用いて以下の手順で求める。
【００６１】
自動変角光度計の光源からの直進光を、光源から７５ｃｍの距離に設置したＬＥＤ照明カバー用光拡散体（２ｍｍ厚）に対してＬＥＤ照明カバー用光拡散体表面の法線方向から当てる。ＬＥＤ照明カバー用光拡散体を透過した光の強度を可動式受光器にて受光角度を変化させながら測定する。測定された強度を透過率に換算し、ＬＥＤ照明カバー用光拡散体表面の法線方向に対する受光方向の角度（透過角）に対応させて透過率をグラフにプロットする。このグラフから、光透過率がＬＥＤ照明カバー用光拡散体表面の法線方向の光の透過率（直進光透過率；透過角が０度のときの光透過率）の５０％になるところの角度（透過角）を求める。この角度（透過角）を分散度（Ｄ５０）と称する。この分散度（Ｄ５０）の単位は「°（度）」である。また、分散度（Ｄ５０）は、大きいほど光拡散性に優れていることを意味する。
【００６２】
図２は、ＬＥＤ照明カバー用光拡散体の透過光強度を、自動変角光度計を用いて測定した例である。縦軸は透過光強度の相対値で、この値が５０％時のグラフのプロット点から垂線を引き、横軸との交点を求める。この横軸の値は角度（°）であり、分散度（Ｄ５０）と呼ぶ。この図２に示す測定結果では、分散度（Ｄ５０）は５７．３°となる。なお、分散度（Ｄ５０）は、横軸の原点０°の左右２つの値（透過光強度が５０％のときの角度の値）の絶対値の相加平均とする。
【００６３】
〔ＬＥＤ照明装置の光拡散性の評価方法〕
ＬＥＤ照明装置を目視確認し、以下の評価基準で光拡散性を評価した。
○：ＬＥＤチップによる粒光感が確認されない。
×：ＬＥＤチップの粒光感がはっきりと確認される。
【００６４】
［害虫（アザミウマ）の定着防止、行動抑制の評価］
図３に示すように、高さ３０×奥行き３０×幅１００ｃｍの箱１０の中央に、床面から高さ１５ｃｍの空間を開けて両部屋１１、１２間を自由に行き来できるようにした仕切り板１３を設けて箱１０の長手方向を二分する２つの部屋１１、１２に分けた。一方の部屋１１の天面の中央には、仕切り板１３と平行するように、後述する各実施例のＬＥＤ照明カバー用光拡散体を設けたＬＥＤ照明装置１を設け、他方の部屋１２の天面には、仕切り板１３と平行するように、上記色素無添加光拡散体を設けたＬＥＤ照明装置（比較例１のＬＥＤ照明装置）２を設けた。各ＬＥＤ照明装置１、２の長手方向の奥には、アザミウマ３の好む臭いを放つ補虫シート１４を設け、各ＬＥＤ照明装置１、２の長手方向の手前であって、これらＬＥＤ照明装置１、２の間にある仕切り板１３の位置から、ミナミキイロアザミウマ５０匹を放ち３０分間放置し、暗室空間で各ＬＥＤ照明装置１、２を照射し、３０分間放置後の両部屋１１、１２のアザミウマ３の数をカウントした。比較例１のＬＥＤ照明装置２を設けた部屋１２のアザミウマ３の数を１００として、実施例に係るＬＥＤ照明装置１を設けた他方の部屋１１のアザミウマ３の数を％表示で算出した。
【００６５】
〔実施例１〕
光拡散剤としての透明粒子の１種であるシリコーン系樹脂粒子（アイカ工業株式会社製、商品名「ガンツパール（登録商標）ＳＩ−０２０」、体積平均粒子径２．１μｍ、粒子径の変動係数２６．６％）０．６重量部と、４００〜６００ｎｍの波長領域の光を少なくとも一部吸収する色素としての「Ｒｅｄ１３３６」（有本化学工業株式会社製、「ＦＳ  Ｒｅｄ  １３３６」）０．０５重量部と、基材樹脂としてのポリカーボネート系樹脂（三菱エンジニアリングプラスチック社、商品名「ユーピロン（登録商標）Ｓ２０００ＵＲ」）１００重量部とをそれぞれ計量し、ヘンシェルミキサーで１５分間混合して、混合物を得た。この混合物を単軸型押出機（株式会社星プラスチック製、型番「Ｒ５０」）を用いて温度２５０〜２８０℃、吐出量１０〜２５ｋｇ／ｈの条件で押出し、水冷後にペレタイザーでカットしてペレット状のＬＥＤ照明カバー用光拡散体を得た。
【００６６】
次いで、得られたペレット状のＬＥＤ照明カバー用光拡散体を用いて、厚み１ｍｍの円筒形状のＬＥＤ照明カバー用光拡散体（１層構造のＬＥＤ照明カバー用光拡散体）を押出成形法により作製した。白色ＬＥＤを備える市販の４０Ｗ型直管型ＬＥＤ照明装置（株式会社エレバム製、型番「ＦＷＫ４０ＮＳＭＳＰ５−７２Ｖ」）の本体（カバーを除いた部分）に円筒形状のＬＥＤ照明カバー用光拡散体を取り付けて、ＬＥＤ照明装置を作製した。
【００６７】
得られたＬＥＤ照明装置について、分光放射照度を測定した結果（白色ＬＥＤを測定用光源として使用し、白色ＬＥＤを覆うようにＬＥＤ照明カバー用光拡散体を配置して分光放射照度を測定した結果）を図１および表１に示す。
【００６８】
【表１】
2019179207.tif 000003
【００６９】
〔実施例２〕
色素の量を０．１重量部に変更したこと以外は、実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。
【００７０】
得られたＬＥＤ照明装置について、実施例１と同様の測定を行った結果を表１に示す。
【００７１】
［実施例３］
色素の量を０．０２５重量部に変更したこと以外は、実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。
【００７２】
得られたＬＥＤ照明装置について、実施例１と同様の測定を行った結果を表１に示す。
【００７３】
［比較例１］
白色ＬＥＤ光源とし、色素無添加光拡散体を備える市販の４０Ｗ型直管型ＬＥＤ照明装置（株式会社エレバム製、型番「ＦＷＫ４０ＮＳＭＳＰ５−７２Ｖ」）を使用した。
【００７４】
図１を参照すると、実施例１は３６０〜７８０ｎｍの波長領域の分光放射照度の全体積算値に対して、５５０〜７５０ｎｍの波長領域の分光放射照度の積算値の割合が９４．３％であり、５５０〜６００ｎｍの波長領域の分光放射照度の積算値の割合が２３．７％であり、６５０〜７００ｎｍの波長領域の分光放射照度の積算値の割合が１９．１％である。従って、赤色光を含む広い波長領域の光が照射されている。比較例１のミナミキイロアザミウマの数を１００とした場合、実施例１のミナミキイロアザミウマの数は４３％に減少しており、高い防除効果が確認できた。また、実施例２、３も実施例１と同様に、それぞれ３８％、４５％に減少しており、高い防除効果が確認できた。
【符号の説明】
【００７５】
１、２  ＬＥＤ照明装置
３  アザミウマ
１０  箱
１１、１２  部屋
１３  仕切り板
１４  補虫シート
【図１】
2019179207.tif 000004
【図２】
2019179207.tif 000005
【図３】
2019179207.tif 000006